(57)【要約】      （修正有）【課題】目、鼻および口を一体的に覆う仮面として使用できるとともに、使用前後の衛生マスクのマスクホルダーとしても使用できる仮面兼用マスクホルダーを提供する。【解決手段】仮面としての使用態様では使用者の顔の少なくとも目、鼻および口を一体的に覆う機能を有する仮面部３と、マスクホルダーとしての使用態様では仮面部との協働によって衛生マスク２１を保持するマスク保持片５とを含み、マスク保持片は、仮面部における所定の周縁部位の折り曲げ辺７を介して使用者側に折り返されて仮面部に重ね合わせ可能に構成され、かつ、マスク保持片と仮面部とは、マスク保持片もしくは仮面部の何れか一方から切り起された押え片６により他方を一方に押え可能に構成されている。【選択図】図２
0003231412.tif 000002
【実用新案登録請求の範囲】
【請求項１】
仮面としての使用態様と、マスクホルダーとしての使用態様とに使い分け可能なもので
あって、
前記仮面としての使用態様では使用者の顔の少なくとも目、鼻および口を一体的に覆う機能を有する仮面部と、当該マスクホルダーとしての使用態様では当該仮面部との協働によって衛生マスクを保持するマスク保持片とを含み、
当該マスク保持片は、当該仮面部における所定の周縁部位の折り曲げ辺を介して使用者側に折り返されて前記仮面部に重ね合わせ可能に構成され、かつ、
当該マスク保持片と当該仮面部とは、当該マスク保持片もしくは当該仮面部の何れか一方から切り起された押え片により他方を当該一方に押え可能に構成されている
ことを特徴とする仮面兼用マスクホルダー。
【請求項２】
前記仮面部および重ね保持片は、一枚の紙製もしくは合成樹脂製のシート材から構成されている、
ことを特徴とする請求項１記載の仮面兼用マスクホルダー。
【請求項３】
前記シート材は、一枚の矩形シート材を中央のシート折り曲げ辺を介して二つ折りにすることで一方のシート片と他方のシート片との二枚重ねにするとともに、当該シート折り曲げ辺の両隣接辺のうち少なくとも一方をシールしてなるクリアファイルから構成され、
当該一方のシート片に、前記シート折り曲げ辺以外の周縁を囲む一方の切り取り線により切り取り可能に前記仮面部が形成され、
当該他方のシート片に、前記シート折り曲げ辺以外の周縁を囲む当該一方の切り取り線と連続する他方の切り取り線により切り取り可能に前記重ね保持片が形成され、
当該シート折り曲げ辺によって前記折り曲げ辺が構成されている、
ことを特徴とする請求項２記載の仮面兼用マスクホルダー。
【考案の詳細な説明】
【技術分野】
【０００１】
本考案は、使用者の顔の少なくとも目、鼻および口を一体的に覆う仮面として使用できるとともに、使用前後の衛生マスクのマスクホルダーとしても使用できる仮面兼用マスクホルダーに関するものである。
【背景技術】
【０００２】
従来から、種々の玩具や仮装具として顔に付ける仮面（お面、フェイスマスク）が知られている。特許文献１は、透明な合成樹脂材を、眼・鼻・口を覆う範囲でお面形に一体成型したものであって、顔面の凹凸部分に生じる隙間を覆い、鼻と口元部分に呼吸用の孔を設けその部分にフィルターを貼り付けることにより構成された、仮面自体に衛生マスクの機能を持たせたものである。
【０００３】
特許文献２は、仮面兼選挙ビラを提案する。これは、片面に選挙候補者の訴えたい文言を他の面に前記候補者の顔写真とその目に孔を設け、更に選挙ビラの左角を証紙貼り部兼用取っ手とし、この取っ手は、お面を顔につける際の取っ手としたことを特徴としている。
【０００４】
特許文献３は、仮面兼団扇を開示する。これは、仮面本体を支持体によって頭部に装着可能に構成され、この支持体は団扇の把手として機能するようにも構成されている。
【０００５】
特許文献４は、装着者がマスクを顔に直接装着した状態で、当該マスクのヒモをフェイスシールドの裏側から貫通穴を介して表側に抜けさせる一方、貫通孔に繋がる切込みに引っ掛けることでフェイスシールドを当該マスクに保持する構成を説明する。
【０００６】
一方、特許文献５〜７は、種々のマスクホルダーを示すが、マスクホルダー以外の用途を示すものはない。
【先行技術文献】
【特許文献】
【０００７】
【特許文献１】実用新案登録第３１２４５５０号公報
【特許文献２】特許第５５８６０５２号公報
【特許文献３】特許第５１５０２１０号公報
【特許文献４】実用新案登録第３２２８１１０号公報
【特許文献５】実用新案登録第３２２７２５５号公報
【特許文献６】特開２０１５−１１９８０６号公報
【特許文献７】実用新案登録第３１９１９４７号公報
【考案の概要】
【考案が解決しようとする課題】
【０００８】
上述した先行技術は、いずれも仮面の機能とマスクホルダーの機能を併用するものではない。本考案が解決しようとする課題は、従来の仮面やマスクホルダーの単体、もしくは、他の用途をもった仮面やマスクホルダーとは全く異なる用途の仮面兼用マスクホルダーを提供することにある。
【課題を解決するための手段】
【０００９】
上記課題を解決するための手段として考案者らは、次の構成を採用した。なお、いずれかの請求項記載の考案を説明するにあたり行う用語の定義等は、記載の前後などを問わず他の請求項記載の考案にも適用されるものとする。
【００１０】
（請求項１記載の考案）
請求項１記載の考案に係る仮面兼用マスクホルダー（以下、「請求項１の仮面兼用マスクホルダー」という）は、仮面としての使用態様と、マスクホルダーとしての使用態様とに使い分け可能なものである。前記仮面としての使用態様では使用者の顔の少なくとも目、鼻および口を一体的に覆う機能を有する仮面部と、当該マスクホルダーとしての使用態様では当該仮面部との協働によって衛生マスクを保持するマスク保持片とを含み、当該マスク保持片は、当該仮面部における所定の周縁部位の折り曲げ辺を介して使用者側に折り返されて前記仮面部に重ね合わせ可能に構成され、かつ、当該マスク保持片と当該仮面部とは、当該マスク保持片もしくは当該仮面部の何れか一方から切り起された押え片により他方を当該一方に押え可能に構成されていることを特徴とする。目、鼻および口以外の部分、たとえば、額や顎下の首の一部までを覆う仮面であってもよい。使用者の目に相当する位置は、使用者が仮面部を通して外が見えるように透明・半透明の若しくは切り抜いた目出し部となっていることが好ましい。
【００１１】
請求項１の仮面兼用マスクホルダーによれば、ある場面では仮面として、また、仮面として使用しないときはマスクホルダーとして選択使用することができる。仮面として使用するとき使用者は、自身の手によって、もしくは使用者が用意する仮面装着部によって使用者の顔に装着する。マスクホルダーとして使用するときは、使用済みもしくは使用前の衛生マスクを収納する。仮面とマスクホルダーとの間に主従関係はなく、どちらを主とするかは使用者の選択に委ねられる。仮面としての機能とマスクホルダーとしての機能を併用させることで、マスクホルダー機能に仮面の機能が合わさることで、使用者に遊び心を持たせることができる。換言すると、病気と密接に関係するためとかく暗いイメージを抱かれる衛生マスクのそのイメージを改善することができる。なお、衛生マスクの保持は、使用者側に折り返された保持片との間の挟持によって行われる。挟持は、押え片の作用により行われる。このときの保持片は、使用者が装着した仮面部からはみ出ない構造になっている。はみ出ると、仮面部の形が変わってしまい、外観的に好ましくないからである。
【００１２】
（請求項２記載の考案）
請求項２記載の考案に係る仮面兼用マスクホルダー（以下、「請求項２の仮面兼用マスクホルダー」という）は、請求項１の仮面兼用マスクホルダーの好ましい態様として、前記仮面部および重ね保持片は、一枚の紙製もしくは合成樹脂製のシート材から構成されている、ことを特徴とする。
【００１３】
請求項２の仮面兼用マスクホルダーによれば、一枚の紙もしくは合成樹脂製シート材で構成するので、複数枚の紙製シート材若しくは合成樹脂製のシート材で構成するより簡素であって製造しやすい。製造しやすければ、コスト的にも有利である。
【００１４】
（請求項３記載の考案）
請求項３記載の考案に係る仮面兼用マスクホルダー（以下、「請求項３の仮面兼用マスクホルダー」という）は、請求項２の仮面兼用マスクホルダーの好ましい態様として、前記シート材は、一枚の矩形シート材を中央のシート折り曲げ辺を介して二つ折りにすることで一方のシート片と他方のシート片との二枚重ねにするとともに、当該シート折り曲げ辺の両隣接辺のうち少なくとも一方をシールしてなるクリアファイルから構成され、当該一方のシート片に、前記シート折り曲げ辺以外の周縁を囲む一方の切り取り線により切り取り可能に前記仮面部が形成され、当該他方のシート片に、前記シート折り曲げ辺以外の周縁を囲む当該一方の切り取り線と連続する他方の切り取り線により切り取り可能に前記重ね保持片が形成され、当該シート折り曲げ辺によって前記折り曲げ辺が構成されている、ことを特徴とする。なお、ここでいうクリアファイルは、透明や半透明である必要は必ずしもなく、全体として不透明であってもよい。仮面部や重ね保持片の図柄が描かれていることが前提となる。
【００１５】
請求項３の仮面兼用マスクホルダーによれば、それを切り取る前はクリアファイルとして使用可能である。すなわち、一方のシート片と他方のシート片との間に書類などを間に挟み、分類、整理に用いることができる。その上、一方の切り取り線により仮面部を切り取り、他方の切り取り線により重ね保持片を切り出して一つの仮面兼用マスクホルダーを手にすることができる。クリアホルダーはイベントやスポーツなどの会場でプレミアム品として、また、土産物品として使用されることが多いが、その用途で配布・販売し、鑑賞・観戦時や帰宅後などに仮面兼用マスクホルダーとして使用してもらうのに好適である。
【考案の効果】
【００１６】
本考案によれば、従来の仮面やマスクホルダーの単体、もしくは、他の用途をもった仮面やマスクホルダーとは全く異なる用途である仮面兼用マスクホルダーを提供することができる。遊び心ある組み合わせにより、なにかと暗いイメージのある衛生マスクを愉快な方向に仕向けることができる。この結果、衛生マスクの装着率が感染予防などの効果を高めることが期待できる。
【図面の簡単な説明】
【００１７】
【図１】仮面兼用マスクホルダーの正面図である。
【図２】衛生マスクを挟み込む際の仮面兼用マスクホルダーの正面図である。
【図３】衛生マスクを配置した状態の仮面兼用マスクホルダーの展開図である。
【図４】マスクホルダーとしての他の使用態様を示す仮面兼用マスクホルダーの正面図である。
【図５】押え片が仮面部の背面側に切り起されている仮面兼用マスクホルダーの正面図である。
【図６】仮面兼用マスクホルダーを含むクリアホルダーの正面図である。
【図７】図６に示すクリアホルダーの展開正面図である。
【考案を実施するための形態】
【００１８】
（仮面兼用マスクホルダーの全体構成）
図１ないし４を参照しながら説明する。図１に示す符号１は、仮面兼用マスクホルダー（仮面兼用マスクホルダー）を示す。仮面兼用マスクホルダー１は、仮面としての使用態様（以下、「仮面態様」という）と、マスクホルダーとしての使用態様（以下、「ホルダー態様」という）とに使い分け可能に構成されている。
【００１９】
（仮面本体の構成）
仮面兼用マスクホルダー１は、仮面本体３とマスク保持片５を主要部材として構成されている。使用者が自分の手で仮面本体３を持ち顔に被せるなどすることができる。仮面本体７は、仮面部３とマスク保持構造５とから構成されている。素材的にみた仮面本体３とマスク保持片５は、仮面兼用マスクホルダーとして使用に耐える所定の剛性をもった素材、たとえば紙製シート材や合成樹脂製シート材が好ましい。必須ではないものの表面に抗菌材を塗布した一枚物の合成樹脂製のシート材を採用している。仮面として使用者の顔に密着させ、使用前だけでなく使用後の衛生マスクと接触させるものだからである。
【００２０】
（衛生マスクの構成）
説明の都合上、仮面兼用マスクホルダー１（仮面本体３）とともに使用する衛生マスク２１について解説する。図２に示すように衛生マスク２１は、横長長方形のマスク本体２３と、マスク本体２３の両側短辺に設けられた一対の耳ヒモ２５とから構成されている。マスク本体２３は、使用者の口と鼻とを覆うことができ、耳ヒモ２５はリング状になっていて伸縮自在になっていて使用者の耳に掛けられる形式の市販品でよい。もっとも、衛生マスク２１の構造は上記に限定されない。樹脂シートを打ち抜いてマスク本体と耳ヒモを一体化したタイプ（図示を省略）や、四角形の布の対角線上の端同士を使用者後頭部に結び留めるスカーフタイプの衛生マスクなどをも使用することができる。以下の説明は、冒頭に述べたタイプの衛生マスク２１を前提とする。
【００２１】
（仮面部の構成）
仮面部３は、仮面態様のとき、使用者の顔の少なくとも目、鼻および口を一体的に覆う大きさと形状になっていて、主として図１に示すように本実施形態では、ほぼ円形に構成されている。本実施形態では、図示を単純化するためにほぼ円形に描かれているが、より複雑な形状とすることや髪の毛やメガネのような装飾を外付けすることを妨げない。同じ理由で両方の目部３ａ，３ａ、口部３ｂ耳部３ｃ，３ｃなども単純化した円形や楕円形に描かれている。一方、仮面部３の上部領域は、半月部分が欠損していて、そこからマスク保持片５が露出するように構成されている。仮面部３の上端を顔上端３ｔと呼ぶ。なお、ここでは、鼻部は省略されているが、付け加えてもよい。人間の顔の形状に限定する必要はなく、たとえば、サルや像のような動物や子供に人気のあるキャラクターの形状とすることもできる。なお、口部３ｂを開口（図示を省略）にしてもよい。仮面としての使用態様の際、配置マスク２１によって使用者が放出する飛沫の少なくとも一部を捕獲することができるので、その分だけ反射飛沫が使用者の顔にかからないようにすることができる。
【００２２】
（マスク保持片の構成）
図２に示すようにマスク保持片５は、正面視した仮面部３における所定の周縁部位の折り曲げ辺７を介して使用者側（図１の紙面裏面）に折り返されて仮面部３に重ね合わせ可能に構成されている。同じことであるが図３では、マスク保持片５に対して仮面部３を紙面表側に折り返し可能ともいえる。図３および４が示すように、重ね合わせによって形成されるマスク保持片５と仮面部３と間の空間（保持空間１１、図３）に衛生マスク２１が挟み込み保持（挟持）されるようになっている。
【００２３】
マスク保持片５の形状は、仮面部３とほぼ同じ円形に構成され、仮面部３とともに衛生マスク２１を保持するために十分な大きさを有している。仮面部３と重ね合わせたときのマスク保持片５は、先に述べたように仮面部３上端の欠損部分から、その上部領域が露出していて、この露出部分とそれ以外の部分にまたがり押え片６が切り起されている。押え片６は、その開放端を仮面部３側に押し起こすと、その開放端は仮面部３の顔上端３ｔを乗り越えて仮面部３の上に乗り上げることで、その復帰力により仮面部３をマスク保持片５に押える機能を有している。ホルダー態様時のこの押えによって、仮面部３とマスク保持片５との間の保持空間１１に保持（挟持）された衛生マスク２１の落下が有効に防止される。なお、本実施形態のマスク保持片５は、仮面部３とほぼ同じ形状であるが、これは適宜変更可能である。衛生マスク２１を保持できる範囲なら仮面部３より小さめにしたり、同範囲なら仮面部３とまったく異なる形状にしたりしてもよい。
【００２４】
折り曲げ辺７は、仮面部３のいずれの部位でもよいのであるが、好ましくは本実施形態で採用したように仮面部３の顎部分になる下端部位に設けるのがよい。下端部位に設けられた理由は、折り曲げ辺１１は仮面部３と重ね保持片５とを繋ぐ部位であるところ、仮面部の頭部を上にして仮面兼用マスクホルダー１を持ったとき、保持された衛生マスクが折り曲げ辺１１が下支えして落下が防がれるからである。もっとも、挟持された衛生マスク２１は、仮面部３と重ね保持片５から受ける摩擦によって簡単には動けないので、折り曲げ辺１１を設ける部位は厳格に考えなくてもよい。なお、図４に示すように、仮面態様の再に仮面部３に衛生マスク２１を装着することもできる。これも、衛生マスク保持の一態様である。
【００２５】
図５に示す仮面兼用マスクホルダー１´は、先に述べた仮面兼用マスクホルダー１と異なるのは、顔上端５ｔ´がマスク保持片５´側に、そして押え片６´が仮面部３´側に、それぞれ設けられている点である。すなわち、ほぼ円形のマスク保持片５´はその上端の半月部分が欠損していて、背面視したときに仮面部３´の裏面が露出（図５では紙面の裏側になり隠れて見えない）している。仮面部３´上部に切り起された押え片６´が、欠損により形成されるマスク保持片５´の上端（顔上端５ｔ´）を乗り越えマスク保持片５´の上に乗り上げることにより、マスク保持片５と仮面部３と間の空間（保持空間、図５では隠れて見えない）に衛生マスク２１が挟み込み保持（挟持）されるようになっている。
【００２６】
なお、顔上端５ｔと顔上端５ｔ´は、いずれも上端半月部分の欠損により形成されるが、この欠損の代わりに、たとえば、所定長さのスリットもしくは所定形状の開口を形成することを妨げない。つまり、顔上端５ｔ（顔上端５ｔ´）の押え片６（押え片６´）に対応する位置に、押え片６（押え片６´）を差し込み可能なスリットもしくは開口（図示を省略）とすることができる。
【００２７】
（クリアファイルの応用）
図６および７を参照しながら説明する。符号１０１は、クリアファイル全体を示す。クリアファイル１０１は、一枚の矩形シート材を中央のシート折り曲げ辺１０３を介して二つ折りにすることで一方のシート片１０５と他方のシート片１０７との二枚重ねにするとともに、シート折り曲げ辺１０３の両隣接辺の一方（両方の場合もある）をシールしてなる、書類などをファイルするための部材である。クリアホルダーなどと呼ばれることもある。柔軟性のあるポリプロピレンなどの合成樹脂材により構成されるのが一般的であるが、適度な剛性をもった厚紙などで構成されることもある。透明・半透明であることが一般的であるが、不透明であっても構わない。クリアファイル１０１には、先に述べた仮面本体７の図柄が印刷されている。詳細は次項以下で説明する。
【００２８】
（仮面本体の切り取り）
図６および７に示すように一方のシート片１０７において、シート折り曲げ辺１０３以外の周縁を囲む一方の切り取り線１０９により切り取り可能に、これまで解説してきた仮面部3が形成されている。シート折り曲げ辺１０３は、切り取らずに繋がったままにしておく。すなわち、シート折り曲げ辺１０３の繋がったままの部分は、仮面部３と後述のとおり別途に切り取りする重ね保持片５を繋げる部分、すなわち、折り曲げ辺１１と一致する。一方、他方のシート片１０５に、シート折り曲げ辺１０３以外の周縁を囲み一方の切り取り線１０９と連続する他方の切り取り線１１１により切り取り可能に、これまで解説してきた重ね保持片５が形成されている。
【００２９】
図６および７に示すようにクリアファイル１０１には、上述した仮面兼用マスクホルダー１の図柄が印刷されているが、その周辺つまり図６に示す仮面部３が切り取られた後の残余部分にも適宜印刷を施すことができる。仮面部３とは無関係の図柄（たとえば、配布者の広告宣伝の記載）でもよいし、仮面部３と連続的もしくは統一的な図柄（たとえば、仮面部３のキャラクターに合わせた背景）でもよい。文字や数字なども図柄として活用可能である。
【００３０】
図６に示すようにクリアファイル１０１は、そのまま書類Dなどを収納する一般的なクリアファイルと同様に使用することができる。これを、たとえば野球場の観客に販売もしくは配布したと仮定する。購入もしくは配布された者は、このクリアファイル１０１に入場券やポスターなどのシート類を収納する一般的な使い方のほか、仮面部３とマスク保持片５を切り取ることで仮面としての使用態様で使用したりマスクホルダーとしての使用態様で使用したりすることができる。
【００３１】
以上説明した仮面兼用マスクホルダー１，５１は、仮面としての使用態様と、マスクホルダーとしての使用態様とに使い分け可能であり、多分に遊び心を持ったものである。これにより、病気と密接に関係するためとかく暗いイメージを抱かれる衛生マスクのそのイメージを改善することができる。子供に対しては特に効果的である。
【符号の説明】
【００３２】
１  １´    仮面兼用マスクホルダー
３          仮面部
３ａ        目部
３ｂ        口部
３ｃ        耳部
３ｔ        顔上端
５          マスク保持片
６          押え片
７          折り曲げ片
１１          保持空間
２１          衛生マスク
２３          マスク本体
２５          耳ヒモ
１０１          クリアファイル
１０３          折り曲げ辺
１０５          一方のシート片
１０７          他方のシート片
１０９          切り取り線
１１１          切り取り線
D          書類
Ｆ        （使用者の）顔
Ｈ        （使用者の）手
【図１】
0003231412.tif 000003
【図２】
0003231412.tif 000004
【図３】
0003231412.tif 000005
【図４】
0003231412.tif 000006
【図５】
0003231412.tif 000007
【図６】
0003231412.tif 000008
【図７】
0003231412.tif 000009